(57)【特許請求の範囲】
【請求項１】
ヒュームフードの本体の前面開口部に透明な扉を移動可能に設け、該扉により前記開口部を開閉しうるようにしたヒュームフードにおいて、
前記扉を、前記開口部の上部を覆う上部扉と、前記開口部の下部を覆う下部扉とに分割して構成し、前記上部扉を、前記本体における前記開口部の上端縁に、前記開口部の上部を覆う閉止位置と前記開口部の上部を開放する開放位置との間で回動可能に、左右方向を向く枢軸をもって枢着し、かつ、前記下部扉を、前記開口部の下部を覆う閉止位置と、それより上方に位置して前記開口部の下部及び上部を開放する開放位置との間で上下動可能に設けたことを特徴とするヒュームフード。
【請求項２】
上部扉に、閉止位置と開放位置とにおいて、その位置を保持する保持装置を設けた請求項１記載のヒュームフード。
【請求項３】
上部扉を、ヒュームフードの本体に固着されたヒンジベースと、このヒンジベースに左右方向を向く枢軸をもって枢着された可動ヒンジ片とを有するヒンジ装置における前記可動ヒンジ片に固着し、かつ保持装置を、前記ヒンジベースと可動ヒンジ片との対向のいずれか一方における前記枢軸を中心とする同一円周上に設けられた複数の凹部と、他方の対向面における前記凹部に対応する部分に、一方の対向面に向かって進退しうるように設けられ、かつ上部扉が閉止装置と開放装置とに位置したとき、いずれかの凹部に係合するようにしたボールと、該ボールを一方の対向面に向かって付勢する付勢手段とを備えるものとした請求項２記載のヒュームフード。
【請求項４】
下部扉に、上下方向の任意の位置において、その位置を保持する保持装置を設けた請求項１〜３のいずれかに記載のヒュームフード。
【発明の詳細な説明】
【０００１】
【発明の属する技術分野】
本発明は、ヒュームフードの本体の前面開口部に、透明な扉を設け、この扉により前記開口部を開閉するようにしたヒュームフードに関する。
ヒュームフードは、研究室、化学実験室等において、有害なガスを発生させる薬品を扱うのに用いられるもので、ドラフトチャンバとも呼ばれることもある。また、ここでは、植物の栽培や菌の培養等に用いられる、いわゆるクリーンベンチを含むものとする。
【０００２】
【従来の技術】
図５及び図６に示すように、ヒュームフードにおいては、その本体(１)の前面開口部(２)に設けた上下動可能な透明な扉(３)を、閉止した状態（図５）はもちろん、扉(３)を上昇させて開放した状態（図６）でも、本体(１)内の空気は、矢印で示すように排気口(４)へ有効に吸引され、室内に洩出することがないようになっている。
【０００３】
【発明が解決しようとする課題】
このようなヒュームフードを天井高の低い部屋に設置した場合、またはヒュームフードの全体高さが高い場合、図７に示すように、開放のため上昇させた扉(３)の上端が、天井(５)を貫いて天井裏にまで達したり、場合によっては排気口(４)に接続されている配管(６)に接触することがある。このような場合には、開口部(２)の開度が制約されることとなる。
【０００４】
これを避けるためには、天井(５)にスリット状の開口(７)を設けたり、天井裏の配管位置を変更したりしなければならないため、ヒュームフードの設置のための作業が煩雑なる。
【０００５】
本発明は、上述の問題点に鑑み、ヒュームフードの上方に、その扉が移動するための空間が少ない場合でも、その前面開口部を大きく開くことができるようにしたヒュームフードを提供することを目的としている。
【０００６】
【課題を解決するための手段】
本発明によると、上記課題は、次のようにして解決される。
（１）ヒュームフードの本体の前面開口部に透明な扉を移動可能に設け、該扉により前記開口部を開閉しうるようにしたヒュームフードにおいて、前記扉を、前記開口部の上部を覆う上部扉と、前記開口部の下部を覆う下部扉とに分割して構成し、前記上部扉を、前記本体における前記開口部の上端縁に、前記開口部の上部を覆う閉止位置と前記開口部の上部を開放する開放位置との間で回動可能に、左右方向を向く枢軸をもって枢着し、かつ、前記下部扉を、前記開口部の下部を覆う閉止位置と、それより上方に位置して前記開口部の下部及び上部を開放する開放位置との間で上下動可能に設ける。
【０００７】
（２）上記(１)項において、上部扉に、閉止位置と開放位置とにおいて、その位置を保持する保持装置を設ける。
【０００８】
（３）上記(２)項において、上部扉を、ヒュームフードの本体に固着されたヒンジベースと、このヒンジベースに左右方向を向く枢軸をもって枢着された可動ヒンジ片とを有するヒンジ装置における前記可動ヒンジ片に固着し、かつ保持装置を、前記ヒンジベースと可動ヒンジ片との対向のいずれか一方における前記枢軸を中心とする同一円周上に設けられた複数の凹部と、他方の対向面における前記凹部に対応する部分に、一方の対向面に向かって進退しうるように設けられ、かつ上部扉が閉止装置と開放装置とに位置したとき、いずれかの凹部に係合するようにしたボールと、該ボールを一方の対向面に向かって付勢する付勢手段とを備えるものとする。
【０００９】
（４）上記(１)〜(３)項のいずれかにおいて、下部扉に、上下方向の任意の位置において、その位置を保持する保持装置を設ける。
【００１０】
【発明の実施の形態】
図１〜図３は、本発明のヒュームフードの一実施形態を示す。
【００１１】
図１に示すように、ヒュームフードの本体(１)の前面開口部(２)には、ガラス板、アクリル樹脂板またはポリカーボネート板のような透明な板からなる下部扉(８)及び上部扉(９)が設けられている。
【００１２】
下部扉(８)は、開口部(２)の下端から中間部までを仕切る高さのもので、図１に実線で示すように、開口部(２)の下部を覆う閉止位置と、同じく想像線で示すように、閉止位置の直上に位置し、開口部(２)の下部及び上部を開放する開放位置との間を上下移動できるようになっている。
【００１３】
図２は、下部扉(８)の保持装置(10)を示す。この保持装置(10)は、バランスウエイト機構よりなり、下部扉(８)とほぼ同じ重量の重錘(11)を、本体(１)の裏面の上部に２本のワイヤ等の索条(12)をもって吊支し、これらの索条(12)を、それぞれ３個のプーリ(13)を介して、下部扉(８)の左右の下端まで導き、下部扉(８)の下部両側面に突設した下向きのフック(14)に、索条(12)の端末に取り付けたリング(15)を停止したものである。
【００１４】
この構造の保持装置(10)により、下部扉(８)は、その重量が重錘(11)とバランスしているので、任意の高さ位置で止めて保持することができる。
【００１５】
上部扉(９)は、本体(１)の開口部(12)の上端縁、すなわちルーバーパネル(16)の下端部に、保持装置付きのヒンジ装置(17)をもって基端部が枢着され、先端部が真下を向いて、開口部(２)の上部を覆う閉止装置と、先端部が水平に前方を向いて、開口部(２)の上部を開放する開放位置とに回動可能である。
【００１６】
図３及び図４に示すように、ヒンジ装置(17)は、ルーバーパネル(16)の下端に、左右１対のボルト(18)をもって固着されたヒンジベース(19)と、このヒンジベース(19)における両側部より垂下する左右１対の軸受片(19a)(19a)に、左右方向を向く枢軸(20)が軸受されたが可動ヒンジ片(21)とを備えている。
【００１７】
各軸受片(19a)と可動ヒンジ片(21)との対向面のいずれか一方（この例では軸受片(19a)側）には、枢軸(20)を中心とする同一円周上に、複数個（この例では３個）の円形の凹部(22)が、互いに９０度の間隔をもって凹設されており、それに対向する他方の対向面（可動ヒンジ片(21)の端面）には、枢軸(20)と同方向を向く有底孔(23)が穿設されている。各有底孔(23)には、圧縮された状態の圧縮コイルばね(24)と、圧縮コイルばね(24)により有底孔(23)より突出する方向に付勢されている鋼製ボール(25)とが設けられている。
【００１８】
したがって、ボール(24)の一部がいずれかの凹部(22)に嵌合しているときは、可動ヒンジ片(21)は、ヒンジベース(19)に対して安定して弾圧保持され、可動ヒンジ片(21)の回動に適度の抵抗力が付与されるが、ボール(25)がいずれの凹部(22)にも嵌合することなく、対向面に圧接しているときは、可動ヒンジ(21)の回動には、上記より小さな抵抗力しか付与されないようになっている。
【００１９】
可動ヒンジ片(21)における平坦面とした取付面(21a)には、上部扉(９)の上端部が、その前後面に防振用のゴム板(26)を当接させて、ボルト(27)とねじ座(28)とにより締着固定されている。
【００２０】
ヒンジ装置(17)は、上部扉(９)の両側部に１個ずつ設けるのが好ましいが、上部扉(９)の中央に１個だけ設けたり、３個以上を、上部扉(９)の上縁に沿って適宜の間隔で設けてもよい。
【００２１】
上部扉(９)が閉止位置に位置したときと、開放位置に位置したときとに、ボール(25)が凹部(22)に係合するようにすることにより、ヒンジ装置(17)における凹部(22)、圧縮コイルばね(24)、及びボール(25)により、上部扉(９)を、閉止位置と開設位置とにおいて弾圧保持する保持装置(29)が形成されている。
【００２２】
なお、この保持装置(29)に代えて、例えば上部扉(９)を、開設位置まで上方にはね上げた状態で係止する係止手段もしくはロック手段、またはステー等を用いることもできる。
【００２３】
このような構成であるので、上部扉(９)に手を掛け、それを、閉止位置と開放位置とに簡単に回動させることができるとともに、保持装置(29)により、各位置で上部扉(９)を安定して保持することができる。
【００２４】
上部扉(９)を前上方に開閉できるようにしたため、上下動する下部扉(８)の上下方向長さを、上部扉(９)の上下方向の長さ分だけ短くすることができ、それによって、開放位置としたときの下部扉(９)の上端が、図１に示すように、天井(５)や配管(６)等に達しないようにすることができる。
【００２５】
【発明の効果】
請求項１記載の発明によれば、ヒュームフード本体の前面開口部の上部を、はね上げ式の上部扉により覆い、昇降式の下部扉の上下方向の長さを短くしうるようにしたので、ヒュームフードの上方に、その扉が移動するための空間が少ない場合でも、前面開口部を大きく開くことができる。
【００２６】
請求項２記載の発明によれば、上部扉の回動操作が容易となり、かつ、ヒュームフード内での作業に当たって上部扉が邪魔になることがない。
【００２７】
請求項３記載の発明によれば、上部扉用の保持装置の構造を簡素化し、安価に製造することができる。
【００２８】
請求項４記載の発明によれば、ヒュームフード内での作業目的に応じて下部扉の開度を必要限度に応じて最小限に設定して、内部空気の洩出の可能性を少なくし安全な作業を行うことができる。
【図面の簡単な説明】
【図１】本発明のヒュームフードの一実施形態の縦断側面図である。
【図２】同じく、その下部扉の保持装置の概略構成を模式的に示す部分斜視図である。
【図３】同じく、その上部扉の支持部分の拡大縦断側面図である。
【図４】図３のIV−IV線に沿う縦断正面図である。
【図５】扉を開いた状態の従来のヒュームフードの斜視図である。
【図６】扉を閉じた状態の従来のヒュームフードの斜視図である。
【図７】従来のヒュームフードの縦断面図である。
【符号の説明】
(１)ヒュームフードの本体
(２)開口部
(３)扉
(４)排気口
(５)天井
(６)配管
(７)開口
(８)下部扉
(９)上部扉
(10)保持装置
(11)重錘
(12)索条
(13)プーリ
(14)フック
(15)リング
(16)ルーバーパネル
(17)ヒンジ装置
(18)ボルト
(19)ヒンジベース
(19a)軸受片
(20)枢軸
(21)可動ヒンジ片
(21a)取付面
(22)凹部
(23)有底孔
(24)圧縮コイルばね
(25)ボール
(26)ゴム板
(27)ボルト・ナット
(28)ねじ座
(29)保持装置
【図１】
0003964242.tif 000002
【図２】
0003964242.tif 000003
【図３】
0003964242.tif 000004
【図４】
0003964242.tif 000005
【図５】
0003964242.tif 000006
【図６】
0003964242.tif 000007
【図７】
0003964242.tif 000008